(57)【要約】      （修正有）【課題】紙幣を投入口に水平に装填し装置内へ繰り出す紙幣処理装置において、紙幣群に硬貨等の異物が挟在したまま繰り出されると、その開口部から異物が装置内に取り込まれ装置障害を発生する可能性があった。【解決手段】紙幣の繰り出し方向に対応して、紙幣の中央部分から両端へと徐々に繰り出し方向へ角度を持つように成形された両端案内ガイド１１ｂを設け、更に分離部案内ガイド１１ａ及び両端案内ガイド１１ｂと装填部１３との間隙は、想定される異物の厚さ（例えば硬貨）以下に設定する。カール癖のある流通紙幣は、両端案内ガイド１１ｂにより、紙幣の中央部分から両端方向に段々とカール癖を矯正するように案内されて繰り出される。また、紙幣群に挟まっている硬貨は、両ガイド１１ａ、１１ｂに堰き止められ、装置内に侵入することがない。【選択図】        図６
2006240780.tif 000002
【特許請求の範囲】
【請求項１】
紙幣を水平に装填する装填部と、装填された紙幣の前面をガイドする前面ガイドと、紙幣の側面をガイドする側面ガイドから構成される紙幣投入口と、装填された最下の紙幣を繰り出す繰出手段と、繰り出された紙幣を分離して装置内へ送り出す分離手段を有する紙幣処理装置において、前面ガイドと装填部の間には紙幣を分離手段へと繰り出すための間隙が設けられ、前記前面ガイドの下側は紙幣の繰り出し方向に沿って略中央から両端へと角度を持って成形されていることを特徴とする紙幣処理装置。
【請求項２】
請求項１において、前面ガイドと装填部との間隙は、紙幣１枚の厚さ以上で想定される異物の厚さ以下に設定されていることを特徴とする紙幣処理装置。
【請求項３】
請求項１または請求項２において、紙幣の両端に対応する前面ガイドの延長上に異物落下孔を設け、該異物落下孔に落下した異物を返却する異物返却口を設けたことを特徴とする紙幣処理装置。
【請求項４】
請求項１または請求項２において、紙幣投入口に紙幣の残留を検知する残留検知手段と、分離手段により送り出された紙幣の搬送を検知する搬送検知手段と、前記残留検知手段と搬送検知手段の情報から異物検知を判断し通知する制御手段を設けたことを特徴とする紙幣処理装置。
【発明の詳細な説明】
【技術分野】
【０００１】
本発明は、例えば銀行営業店向けの現金管理システムとして適用される紙幣処理装置に関するもので、入金処理のために紙幣群を一括して装填する紙幣投入口に係り、特に装填される紙幣群間に挟在する硬貨、クリップ等の異物除去を紙幣投入口においてなされるようにした紙幣処理装置に関するものである。
【背景技術】
【０００２】
複数枚の紙幣を一括装填し、その紙幣を１枚ずつ分離して繰り出し、繰り出された紙幣を入金処理する紙幣処理装置において、紙幣群間に挟まっている硬貨やクリップ等の異物を除去して以後の処理に支障を来たさぬようにする装置として、例えば下記特許文献に記載のものがある。但し、これは紙幣が立位姿勢で装填される紙幣処理装置の紙幣投入口に関する異物除去方法の発明である。
【０００３】
これに対して図１は、現金管理システムの一部を構成する紙幣処理装置の外観を示す図であり、複数枚の紙幣を紙幣投入口へ水平に一括装填するものである。紙幣処理装置１は、紙幣入金用の紙幣投入口２と、入金処理時のリジェクト紙幣を集積する入金リジェクト口３と、出金される紙幣が集積される出金口４とを備えている。これら紙幣投入口２、入金リジェクト口３、及び出金口４は、機体の上部前面に縦一列に並んで配置されている。
【０００４】
図２は紙幣投入口を正面から見た図であり、図３は紙幣投入口を側面から見た断面図である。図２において、紙幣を装填する際に紙幣の前面をガイドする前面ガイド５と、紙幣の側面をガイドする側面ガイド６と、紙幣を水平に装填する装填部７から構成されている。また、図３において、装填された最下の紙幣の下面に当接し、紙幣を装置内（Ａ方向）へと繰り出す繰出しローラ８と、繰出しローラ８によって繰り出された紙幣の下面に当接して、紙幣を更に装置内（Ａ方向）へと送り出す送りローラ９と、送りローラ９の上方に対向して配置され、送りローラ９との摩擦力により紙幣を１枚ずつ分離する分離ローラ１０を備えている。前面ガイド５の下側は、装填部７と間隙を設けて開口されていて、繰出しローラ８によって繰り出された紙幣を、送りローラ９と分離ローラ１０とで構成する分離手段へと案内する分離部案内ガイド５ａが構成されている。また、紙幣の両端に対応する部分には、装填部７との間隙を分離部案内ガイド５ａより広く開口して構成している両端案内ガイド５ｂが設けられている。
【特許文献１】特開２００１−８４４２４号公報
【発明の開示】
【発明が解決しようとする課題】
【０００５】
しかしながら上述した紙幣処理装置では、カール癖や折れ癖のある流通紙幣を確実に装置内へと繰り出すために、紙幣投入口の両端案内ガイドの開口部は、分離部案内ガイドの開口部より、紙幣端のカール癖や折れ癖に対応するため広い間隙を設けて構成されている。このことにより、紙幣群に硬貨やクリップ等の異物が挟在したまま装填されて紙幣が繰り出された場合は、紙幣端のカール癖等に対応するために設けられた両端案内ガイドの開口部から硬貨等の異物が装置内に入り込み、ひいては装置障害を発生してしまう可能性が有るという問題点があった。
【課題を解決するための手段】
【０００６】
上記課題を解決するために本発明は、紙幣を水平に装填する装填部と、装填された紙幣の前面をガイドする前面ガイドと、紙幣の側面をガイドする側面ガイドから構成される紙幣投入口と、装填された最下の紙幣を繰り出す繰出手段と、繰り出された紙幣を分離して装置内へ送り出す分離手段を有する紙幣処理装置において、前面ガイドと装填部の間には紙幣を分離手段へと繰り出すための間隙が設けられ、前面ガイドの下側は紙幣の繰り出し方向に沿って略中央から両端へと角度を持って成形されている。また、前面ガイドと装填部との間隙は、紙幣１枚の厚さ以上でかつ想定される異物の厚さ以下に設定している。更に、紙幣の両端に対応する前面ガイドの延長上には、異物落下孔を設け、異物落下孔に落下した異物を返却する異物返却口を設けている。
【０００７】
加えて、紙幣投入口に紙幣の残留を検知する残留検知手段と、分離手段により送り出された紙幣の搬送を検知する搬送検知手段と、残留検知手段と搬送検知手段の情報から異物検知を判断し通知する制御手段を設けたものである。
【発明の効果】
【０００８】
本発明によれば、前面ガイドの下側が、紙幣の繰り出し方向に沿って略中央から両端へと角度を持つように成形されている。また、前面ガイドと装填部との間隙は、想定される異物の厚さ（例えば硬貨）以下に設定している。このように構成したことにより、紙幣端にカール癖や折れ癖のある流通紙幣でも、繰り出される紙幣は前面ガイドにより紙幣の中央部分から両端方向に段々とカール癖を矯正されながら繰り出されていくため、確実に装置内へ紙幣が繰り出される効果を有する。また、誤って混入された硬貨等の異物は、紙幣の繰り出し時に前記前面ガイドによって堰き止められるため、装置内に侵入することが無く装置障害の発生を防止する効果を有している。
【０００９】
更に、紙幣の両端に対応する前面ガイドの延長上に硬貨等の異物が落下するための異物落下孔を設け、落下した異物を取り出すための異物返却口を装置に設けている。このため紙幣群に挟在された硬貨等の異物は、紙幣の繰り出される力により前面ガイドに案内され異物落下孔方向に転動または移動して異物落下孔から落下する。このように硬貨等の異物を異物落下孔へと落下させ異物返却口から取り出し可能にすることで、装置内への異物侵入を防ぎ、硬貨等の異物も返却出来る効果を有する。
【００１０】
加えて、紙幣投入口に紙幣が存在するか否かを検知する残留検知手段と、分離手段により１枚ずつ繰り出された紙幣が到達したかを検知する搬送検知手段の情報から異物の混入を判断し、オペレータに通知するように制御しているため、装置内への異物の侵入を未然に防止でき、装置の信頼性向上を図れる効果を有する。
【発明を実施するための最良の形態】
【００１１】
以下、本発明の実施の形態を図面に従って説明する。なお、各図面に共通する要素には同一の符号を付す。図４は第１実施例の紙幣投入口を正面から見た図である。図５は第１実施例の紙幣投入口を側面から見た断面図である。図６は第１実施例の紙幣投入口のガイド部材を示す図である。
【００１２】
図４において、紙幣を装填する際に紙幣の前面をガイドする前面ガイド１１と、紙幣の側面を案内する側面ガイド１２と、紙幣を水平に装填する装填部１３とで構成されている。また、図５において、装填された最下の紙幣の下面に当接し、紙幣を機体内（Ａ方向）へと繰り出す繰出しローラ１４と、繰出しローラ１４によって繰り出された紙幣の下面に当接して、紙幣を更に装置内（Ａ方向）へと送り込む送りローラ１５と、送りローラ１５の上方に対向して配置され、送りローラ１５との摩擦力により紙幣を１枚ずつ分離する分離ローラ１６を備えている。
【００１３】
図６において、前面ガイド１１の下側の略中央部分には、装填部１３と間隙を設けて開口されていて、繰出しローラ１４によって繰り出された紙幣を送りローラ１５と分離ローラ１６とで構成する分離手段へと案内する分離部案内ガイド１１ａが設けられている。分離部案内ガイド１１ａの両側には、紙幣の繰り出し方向（Ａ方向）に対応して、紙幣の中央部分から紙幣の両端へと段々と繰り出し方向に角度を持つように成形された両端案内ガイド１１ｂが構成されている。また、分離部案内ガイド１１ａ及び両端案内ガイド１１ｂと装填部１３との間隙は、想定される異物の厚さ（例えば硬貨）以下に設定し構成されている。
【００１４】
次に紙幣の装填から繰り出しの動作を説明する。まず、複数枚の紙幣を紙幣投入口の装填部１３に水平に装填する。すると、装填された紙幣群の最下紙幣の下面に当接している繰り出しローラ１４により最下紙幣が繰り出され、分離部案内ガイド１１ａにより分離手段へ案内され、送りローラ１５と分離ローラ１６の摩擦力により紙幣を１枚ずつ分離して装置内へと送り込まれる。また、紙幣両端にカール癖や折れ癖のある流通紙幣の場合においても、繰り出される紙幣は分離部案内ガイド１１ａと紙幣の中央部分から紙幣の両端へと徐々に繰り出し方向に角度を持つように成形された両端案内ガイド１１ｂの案内により、紙幣の中央部分から両端方向に段々とカール癖が矯正されながら繰り出される。
【００１５】
また、誤って紙幣群間に硬貨等の異物が挟在したまま装填された場合でも、分離部案内ガイド１１ａ及び両端案内ガイド１１ｂと装填部１３との間隙が、硬貨の厚さ以下に設けられているため、混入された硬貨は分離部案内ガイド１１ａ及び両端案内ガイド１１ｂで堰き止められるため、装置内への硬貨の侵入を防いでくれる。
【００１６】
次に第２の実施例を説明する。図７は第２実施例の紙幣投入口のガイド部材を示す図であり、図８は第２実施例の紙幣処理装置の外観を示す図である。図７において、２０は紙幣を装填する際に紙幣の前面をガイドする前面ガイドで、２１は紙幣を水平に装填するための装填部である。前面ガイド２０の下側の略中央部分には装填部２１と間隙を設けて開口されていて、図示せぬ繰出しローラによって繰り出された紙幣を分離手段へと案内する分離部案内ガイド２２ａが設けられている。分離部案内ガイド２２ａの両側には、紙幣の繰り出し方向（Ａ方向）に対応して、紙幣の略中央部分から紙幣の両端へ段々と繰り出し方向に角度を持つように成形された両端案内ガイド２２ｂを有している。また、両端案内ガイド２２ｂの延長上には、硬貨等の異物が落下するための異物落下孔２３が設けられている。更に、図８において、紙幣投入口の装填部２１の下部には、異物落下孔２３より落下した異物を取り出すための異物返却口２４が設けられている。
【００１７】
次に第２実施例の動作を説明する。装填部２１に水平に装填された紙幣群間に挟在された硬貨等の異物は、図示せぬ繰出しローラによる最下紙幣の繰り出される力により両端案内ガイド２２ｂ方向に引っ張られる。加えて、上部の紙幣の繰り出しにより押され、両端案内ガイド２２ｂに案内され異物落下孔２３の方向に転動または移動し異物落下孔２３に落下する。このように、硬貨等の異物を異物落下孔２３へ落下させ、異物返却口２４より取り出し可能にすることで、装置内への異物の侵入を防いでいる。
【００１８】
次に第３の実施例を説明する。図９は第３実施例の紙幣投入口を側面から見た断面図であり、図１０は第３実施例の動作を示すフローチャートである。図９において、紙幣投入口に紙幣の残留を検知する残留検知手段２５と、分離手段により１枚ずつ繰り出された紙幣が到達したかを検知する搬送検知手段２６を設ける。いずれの検知手段も光学センサを紙幣の搬送路を挟んで対向して設け、紙幣の残留や通過による光学センサの光量変化を捉えて検知している。そして、残留検知手段２５と搬送検知手段２６の情報から異物の混入を判断しオペレータに通知する制御手段で構成されている。
【００１９】
図１０を用いて第３実施例の入金動作を動作する。オペレータは図示せぬ操作パネルから入金モードにおいて、入金指定モードを選択する（ステップ３０）。次にスタートボタンを押下すると（ステップ３１）、紙幣投入口に紙幣が存在するか否かを残留検知手段２５により判断する（ステップ３２）。紙幣が存在すると判断された場合には、紙幣を繰り出し図示せぬ金種判別を行う判別手段まで搬送し（ステップ３３）、判別手段により正常紙幣か判別が開始される（ステップ３４）。正常な紙幣と判別されなかった場合は、リジェクト口へと紙幣を搬送させる（ステップ３５）。正常紙幣と判別された場合は、図示せぬ一時保留部に紙幣を一時保留させる（ステップ３６）。
【００２０】
この後、紙幣投入口に紙幣が存在するか否かを残留検知手段２５にて判断し（ステップ３７）、紙幣が存在する場合には、分離手段により１枚ずつ繰り出された紙幣が到達したか搬送検知手段２６により判断される（ステップ３８）。紙幣が到達していない場合は、硬貨等の異物により紙幣が正常に繰り出されず分離手段へ到達していないものと上位装置が判断し、紙幣投入口に異物混入の可能性有りとオペレータに通知する。この時、上位装置からオペレータへ紙幣投入口の異物を取り除いて、紙幣を再装填させることを要求する（ステップ３９）。この後、ステップ３２へ戻り、紙幣の搬送が検知された場合は（ステップ３８）、ステップ３３へ戻る。
【００２１】
一方、紙幣投入口の紙幣が存在するか否かが判断され、紙幣が存在しない場合（ステップ３７）は、図示せぬ搬送路上の紙幣の有無がチェックされて、紙幣が存在しない場合には一時保留を停止し（ステップ４０）、計数金額を図示せぬ操作パネルに表示し（ステップ４１）、次に指定ボタンを押下すると（ステップ４２）、入金取消か入金収納かが選択され（ステップ４３）、入金収納の場合には、図示せぬ紙幣収納手段により紙幣収納庫へと紙幣を収納する（ステップ４４）。入金取消の場合には、一時保留部から紙幣の取り出しが可能になる。
【００２２】
上述したように残留検知手段２５と搬送検知手段２６の情報から、入金動作中に紙幣投入口に異物混入の可能性が有ると判断されると、オペレータに異物検知を通知するようにしたので、装置内への異物の侵入を未然に防止でき、装置の信頼性向上を図れる効果を有する。なお、本発明の実施例において扱う媒体を紙幣として記載しているが、これに限られるものでなく、帳票等の媒体でも同様の効果は得られる。
【図面の簡単な説明】
【００２３】
【図１】紙幣処理装置の外観を示す図
【図２】紙幣投入口を正面から見た図
【図３】紙幣投入口を側面から見た断面図
【図４】第１実施例の紙幣投入口を正面から見た図
【図５】第１実施例の紙幣投入口を側面から見た断面図
【図６】第１実施例の紙幣投入口のガイド部材を示す図
【図７】第２実施例の紙幣投入口のガイド部材を示す図
【図８】第２実施例の紙幣処理装置の外観を示す図
【図９】第３実施例の紙幣投入口を側面から見た断面図
【図１０】第３実施例の動作を示すフローチャート
【符号の説明】
【００２４】
１：紙幣処理装置
２：紙幣投入口
１１：前面ガイド
１１ａ：分離部案内ガイド
１１ｂ：両端案内ガイド
１２：側面ガイド
１３：装填部
１４：繰出しローラ
１５：送りローラ
１６：分離ローラ
２３：異物落下孔
２４：異物返却口
２５：残留検知手段
２６：搬送検知手段
【図１】
2006240780.tif 000003
【図２】
2006240780.tif 000004
【図３】
2006240780.tif 000005
【図４】
2006240780.tif 000006
【図５】
2006240780.tif 000007
【図６】
2006240780.tif 000008
【図７】
2006240780.tif 000009
【図８】
2006240780.tif 000010
【図９】
2006240780.tif 000011
【図１０】
2006240780.tif 000012